(57)【特許請求の範囲】
【請求項１】
被検レンズの光学特性を測定する測定光学系と、測定結果を表示するディスプレイと、を備えるレンズメータにおいて、
眼鏡フレームに取り付けられた左レンズ及び右レンズのレンズ面上に付された印点の左右方向の位置を検者が目視で読み取るためのスケールを前記ディスプレイの画面に表示させる表示制御手段を備え、
前記表示制御手段は、前記スケールの表示色を反転させる指令信号に基づいて、前記スケールの前記表示色を反転させることを特徴とするレンズメータ。
【請求項２】
被検レンズの光学特性を測定する測定光学系と、測定結果を表示するディスプレイと、を備えるレンズメータにおいて、
眼鏡フレームに取り付けられた左レンズ及び右レンズのレンズ面上に付された印点の左右方向の位置を検者が目視で読み取るためのスケールを前記ディスプレイの画面に表示させる表示制御手段と、
前記ディスプレイの画面に表示された前記スケールの表示位置を上下移動させる移動信号を入力する移動信号入力手段と、
を備え、
前記表示制御手段は、前記移動信号に基づいて前記スケールの表示位置を上下移動させるように前記ディスプレイの表示を制御し、
前記スケールは、左右方向に延びる水平線であって、レンズ面に付された印点の上下方向の位置を位置合わせするための水平線を有し、
レンズの下側を位置させるための高さ基準部と、前記水平線と、の間の距離を算出する演算制御手段と、
を備えることを特徴とするレンズメータ。
【請求項３】
請求項２のレンズメータにおいて、
眼鏡フレームに取り付けられた左レンズ及び右レンズのレンズ面が前記ディスプレイの画面上に置かれた状態で、左レンズ及び右レンズの下端を当接させるために左右方向に延びた当接面を持つ当接部であって、前記ディスプレイの画面に対して前方に突き出た当接面を持ち、前記ディスプレイの下部に設けられた当接部を備え、
前記高さ基準部は、前記当接部の位置に設定されていることを特徴とするレンズメータ。
【発明の詳細な説明】
【技術分野】
【０００１】
本発明は、眼鏡レンズ（被検レンズ）の光学特性を測定するレンズメータに関する。
【背景技術】
【０００２】
測定光束を被検レンズに投光し、被検レンズを透過した測定光束を受光素子で受光して被検レンズの屈折度数等の光学特性を測定する測定光学系を有するレンズメータが知られている（例えば、特許文献１参照）。このようなレンズメータでは、眼鏡フレームの左右のリム（レンズ枠）に取り付けられた左レンズの光学中心と右レンズの光学中心との光学中心間距離（いわゆるＰＤ値）を測定するためのＰＤ測定機構を備えているものがある（例えば、特許文献２参照）。この種のＰＤ測定機構は、左右移動可能にされた鼻当て部材（人間の鼻に似せた鼻当て部材）に眼鏡フレームの鼻当てパッドを載せ、左レンズ及び右レンズの光学中心を測定光軸にそれぞれ位置合わせしたときに、鼻当て部材の左右の移動位置を検出することにより、左右レンズの光学中心間距離が測定されるものである。
【０００３】
また、簡易的な光学中心間距離の測定方法としては、左レンズ及び右レンズの光学中心を測定光軸にそれぞれ位置合わせしたときに、レンズメータが備える印点機構によってレンズ面上に印点を付し、目盛りが付された一般的な物差し（定規）によって左右のレンズ面に当て、左右のレンズ面に付された印点間の距離を検者が目視で読み取る方法がある。
【先行技術文献】
【特許文献】
【０００４】
【特許文献１】特開２００８ー２４１６９４号公報
【特許文献２】米国特許４０９８００２号明細書
【発明の概要】
【発明が解決しようとする課題】
【０００５】
しかしながら、特許文献２の装置では、ＰＤ測定機構を設ける必要があり、装置の構成が複雑になり、装置がコスト高となる。また、物差しを利用する方法では、検者はレンズメータと分離した物差しを管理し、必要なときにわざわざ物差しを取り出す等の手間がある上、眼鏡フレームと物差しの両方を手で持って扱う操作が必要であり、測定誤差が発生しやすい。
【０００６】
本発明は、上記従来技術の課題に鑑み、検者がわざわざ物差しを準備する必要がなく、コストの上昇を抑えた簡単な構成で、左右のレンズ面に付された印点の位置を測定可能なレンズメータを提供することを技術課題とする。
【課題を解決するための手段】
【０００７】
本発明は、上記課題を解決するために、以下の構成を有することを特徴とする。
（１）  被検レンズの光学特性を測定する測定光学系と、測定結果を表示するディスプレイと、を備えるレンズメータにおいて、眼鏡フレームに取り付けられた左レンズ及び右レンズのレンズ面上に付された印点の左右方向の位置を検者が目視で読み取るためのスケールを前記ディスプレイの画面に表示させる表示制御手段を備え、前記表示制御手段は、前記スケールの表示色を反転させる指令信号に基づいて、前記スケールの前記表示色を反転させることを特徴とする。
（２）  被検レンズの光学特性を測定する測定光学系と、測定結果を表示するディスプレイと、を備えるレンズメータにおいて、眼鏡フレームに取り付けられた左レンズ及び右レンズのレンズ面上に付された印点の左右方向の位置を検者が目視で読み取るためのスケールを前記ディスプレイの画面に表示させる表示制御手段と、前記ディスプレイの画面に表示された前記スケールの表示位置を上下移動させる移動信号を入力する移動信号入力手段と、を備え、前記表示制御手段は、前記移動信号に基づいて前記スケールの表示位置を上下移動させるように前記ディスプレイの表示を制御し、前記スケールは、左右方向に延びる水平線であって、レンズ面に付された印点の上下方向の位置を位置合わせするための水平線を有し、レンズの下側を位置させるための高さ基準部と、前記水平線と、の間の距離を算出する演算制御手段と、を備えることを特徴とする。
（３）  （２）のレンズメータにおいて、眼鏡フレームに取り付けられた左レンズ及び右レンズのレンズ面が前記ディスプレイの画面上に置かれた状態で、左レンズ及び右レンズの下端を当接させるために左右方向に延びた当接面を持つ当接部であって、前記ディスプレイの画面に対して前方に突き出た当接面を持ち、前記ディスプレイの下部に設けられた当接部を備え、前記高さ基準部は、前記当接部の位置に設定されていることを特徴とする。
【発明の効果】
【０００８】
本発明によれば、検者がわざわざ物差しを準備する必要がなく、コストの上昇を抑えた簡単な構成で、左右のレンズ面に付された印点の距離を測定できる。
【発明を実施するための形態】
【０００９】
本発明の実施形態を図面に基づいて説明する。図１は本実施形態のレンズメータの外観略図である。
【００１０】
レンズメータ１００は、被検レンズ（眼鏡レンズ）ＬＥが載置されるレンズ載置台のノーズピース１０、レンズＬＥを上方から押えるレンズ押え２０、レンズＬＥが枠入れされた眼鏡フレームＦ（左右のリム）を当接させるレンズテーブル２１、周知の印点機構２２、タッチパネル機能を有し、レンズＬＥの光学特性の測定結果等が表示されるディスプレイ３０、レンズＬＥの光学特性データを読み取るためのＲＥＡＤスイッチ２３、を備えている。
【００１１】
ノーズピース１０は、開口１０ａ（図２参照）を持つ筒状の部材である。ノーズピース１０の開口１０ａ内には測定光学系の光軸Ｌ１（図２参照）が通っている。レンズ押え２０は、ノーズピース１０の上方には上下動可能に保持されている。レンズ押え２０が降ろされることにより、ノーズピース１０上に載せられたレンズＬＥが安定して保持される。
【００１２】
レンズテーブル２１は、ノーズピース１０に対して前後方向（検者方向）に移動可能な摺動機構を備える。眼鏡フレームＦ（レンズ枠、リム）に枠入れされたレンズＬＥの測定において、レンズテーブル２１に、左右のリムの下端（リム及びレンズの上下とは眼鏡装用時の上下をいう）に当接させることで、フレームＦを安定して保持できる。
【００１３】
スイッチ２３を押すことにより、測定値がディスプレイ３０にホールド表示されると共に、装置内部のメモリに測定値が記憶される。
【００１４】
ディスプレイ３０は、好ましくは、カラー表示が可能なカラーディスプレイが使用される。ディスプレイ３０は、例えば、カラーディスプレイであり、カラーの液晶ディスプレイである。ディスプレイ３０は、縦及び横（左右）に並べられた多数の画素（ピクセル）を有する。一つの画素は、さらにＲ（赤色），Ｇ（緑色），Ｂ（青色）のサブピクセル（例えば、縦に延びるＲフィルタ，Ｇフィルタ，Ｂフィルタが横方向に並べられた構成）を備えるものである。このＲＧＢの各カラーフィルタを持つ構成のディスプレイ３０は、周知のものが使用される。
【００１５】
ディスプレイ３０は、カバー３２に覆われて保持されている。カバー３２の下端は、ヒンジ部等の回転機構３１によってレンズメータ１００の本体ケース１００Ａの上部と連結されている。回転機構３１は、本体ケース１００Ａの左右方向に延びた回転軸を有し、カバー３２は、回転軸を中心にして垂直状態から後方へ傾斜可能に本体ケース１００Ａに保持されている。ヒンジ部としては、例えば、フリーストップヒンジが用いられる。これにより、ディスプレイ３０は、図１の左右方向に延びた軸ＲＡを中心として前後方向に傾斜可能となる。ディスプレイ３０は、ディスプレイ３０の表示面が鉛直となる位置から後方（検者とは反対側）に３０度倒れる範囲で傾斜可能となっている。また、ヒンジ部が、フリーストップヒンジであるため、ディスプレイ３０は、傾斜可能範囲内で傾斜状態が維持される。
【００１６】
ディスプレイ３０には、レンズＬＥの光学特性の測定結果、測定時にレンズＬＥの光学中心を測定光学系の光軸Ｌ１に位置合わせするためのアライメントガイドマーク（アライメント用ターゲット等）の測定に必要な情報が表示される。また、ディスプレイ３０の画面には、眼鏡フレームに取り付けられた左レンズ及び右レンズのそれぞれのレンズ面上に付された印点の左右方向の距離を検者が目視で読み取り、印点の距離を測定するためのスケールが表示される（後述する）。好ましくは、後述するように、ディスプレイ３０の画面は、測定結果及びアライメントガイドマークが表示される測定画面と、スケールが表示されるスケール表示画面と、が切換えられる。
【００１７】
また、ディスプレイ３０の表示画面内には、タッチ用のスイッチが図形として表示される。検者がスイッチをタッチする（スイッチの表示領域内をタッチする）と、スイッチに対応する指令信号が制御ユニット７０に送信される。制御ユニット７０は指令信号に基づいて装置を制御する。測定画面とスケール表示画面とを切換えるための信号を入力する切換えスイッチは、ディスプレイ３０のタッチパネル機能が利用される。切換えスイッチは、ディスプレイ３０とは別に、専用のスイッチが設けられていても良い。
【００１８】
ここで、本実実施形態のレンズメータでは、スケール表示を利用した印点距離の測定に際して、安定して精度の高い測定を可能にするために、ディスプレイ３０の下部には、眼鏡フレームＦに取り付けられた左レンズ及び右レンズのレンズ面をディスプレイ３０の画面上に置いた状態で、左右レンズの下端（左右リムの下端を含む）を当接するための当接面を持つ当接部３３が設けられている。本実施形態では当接部３３は、カバー３２に設けられている。当接部３３の当接面は、ディスプレイ３０の表示画面に対して前側に突き出た形で形成されている。すなわち、当接部３３の当接面は、ディスプレイ３０を構成する画素の横方向（左右方向）である水平方向に延びるように設けられている。なお、当接部３３は、フレームＦの左右リム（左右レンズ）の下端を水平に支持できるような当接面を持てば良く、フレームＦの右リム及び左リムの下端が水平となっていればよい。
【００１９】
なお、本実施形態の当接部３３の当接面は、ディスプレイ３０の画面の垂直方向に対して検者側が下がるように傾斜している。これにより、検者がディスプレイ３０に対する眼鏡フレームＦの高さを微調整できる。このとき、眼鏡フレームＦは水平な状態で支持されている。
【００２０】
図２は、光学系と制御系の概略構成図である。測定光学系１０Ａの測定光軸Ｌ１上に各光学部材が配置される。測定光学系１０Ａは、ＬＥＤ等の測定光源１１、コリメータレンズ１２、ミラー１３、所定パターンの多数の測定指標が形成された測定指標板１４、２次元受光センサ（受光素子）１５、を備える。測定指標板１４の上にノーズピース１０の開口１０ａが位置されている。開口１０ａは、直径８ｍｍの円形である。測定指標板１４には、開口１０ａ内のレンズの屈折度数分布を一度に測定するための幾何学パターンを持つ多数の測定指標が形成されている。本実施形態における測定指標は、多数の円形孔が格子状に配置されたグリット指標が採用されている。
【００２１】
装置全体を統括・制御する制御ユニット７０には、測定光源１１、受光センサ１５、ディスプレイ３０、スイッチ２３、メモリ７１が接続される。メモリ７１には、レンズメータ１００の制御プログラム、スケール表示画面に表示させるスケール情報、等が記憶されている。プログラムとしては、レンズの光学中心の屈折度数及び光学中心の周辺部分の度数分布を演算するための演算処理、測定結果を表示させる表示処理、測定結果を加工する加工処理、等の処理（モジュール）を含む。制御ユニット７０は、これらの処理を実行する。また、プログラムには、スケールの目盛りの間隔が実寸で適切に表示されるようにするための表示プログラム、スケールの表示位置（高さ）を変更するプログラムを含む。メモリ７１には、設定情報、測定結果が記憶される。制御ユニット７０は、ディスプレイ３０の画面を度数測定画面とスケール表示画面とに切換える制御と、測定結果及びアライメントガイドマークをディスプレイ３０に表示させる制御と、スケール表示画面にスケールを表示させる制御と、を行う表示制御ユニットを兼ねる。
【００２２】
測定光源１１からの光束は、レンズ１２により平行光束とされた後、ミラー１３により反射され、ノーズピース１０上に載置されるレンズＬＥに投光される。レンズＬＥを透過した光の内、測定指標板１４の孔を通過した光束が受光センサ１５に入射する。受光センサ１５からの出力信号は制御ユニット７０に入力される。制御ユニット７０は、レンズＬＥが光路上に置かれていない場合に受光センサ１５に入射した各孔の各指標像の座標位置を基準にし、屈折力を持つレンズＬＥが置かれた場合の各指標像（ドットパターン）の位置変化を基に、レンズＬＥの光学特性である屈折度数（球面度数Ｓ、乱視度数Ｃ、乱視軸角度Ａ、プリズム値Δ）を演算する。この測定技術については、特開２００８ー２４１６９４公報に記載の周知技術が応用できる。
【００２３】
以上のような構成の装置において、レンズＬＥの屈折度数（光学特性）を測定した後、スケール表示を利用した印点位置（距離）の測定の動作を説明する。
【００２４】
始めに、レンズＬＥの屈折度数測定について説明する。図３は、屈折度数測定時にディスプレイ３０に表示される度数測定画面４０の例を示す図である。度数測定画面４０には、図３（ａ）のようなアライメント表示部４１、測定値の表示部４５が配置されている。レンズＬＥがノーズピース１０に載せられると、測定指標板１４の指標像が受光センサ１５に受光される。制御ユニット７０により、指標像に基づいてレンズＬＥの屈折度数が演算される。図３（ａ）のアライメント表示部４１には、アライメントガイドマークとして、縦線と横線で構成されるレチクル４２と、測定光軸Ｌ１に対するレンズＬＥの光学中心のアライメントずれを示すリングマーク４３と、が表示されている。レチクル４２の縦線と横線の中心がアライメント目標とされる。レンズＬＥのプリズム量、屈折度数に基づいて測定光軸Ｌ１に対するレンズＬＥの光学中心の偏位量と偏位方向が求められ、偏位量と偏位方向に基づいてレチクル４２に対するリングマーク４３の表示位置が変えられる。
【００２５】
検者は、リングマーク４３がレチクル４２の中心に向かうようにレンズＬＥ（眼鏡フレームＦ）を移動させる。レンズＬＥの移動により、レンズＬＥのプリズム量等から求められる光学中心がアライメント完了の許容範囲（０．４ｍｍ）に入ると、図３（ｂ）のように、リングマーク４３は大十字マーク４４に変えられる。検者によりスイッチ２３が押されると（又は、アライメント完了が判定されると自動的に）、表示部４５に表示される屈折度数（Ｓ，Ｃ，Ａ）がホールド表示される。図３（ｂ）の状態で、検者が印点機構２２を操作することによって、レンズＬＥに印点が付与される。
【００２６】
検者は、右レンズＬＥの屈折度数測定及び印点の付与が終了した後、同様に、左レンズＬＥの屈折度数測定及び印点の付与を行う。なお、印点機構２２は、図２に示される測定光軸Ｌ１上に位置させることができる印点付与部を有するものであり、レンズの光学中心を測定光軸Ｌ１に位置合わせすることにより、レンズ面の光学中心に印点を付すことができる。詳細は後述するが、印点は、左右のレンズＬＥのそれぞれにおいて、レンズ面の光学中心に付与される中心印点マーク（ＰＬｃ，ＰＲｃ）と、この中心印点マークに対して左及び右の水平方向に付与された２つの印点マーク（左レンズのＰＬ１，ＰＬ２、右レンズのＰＲ１，ＰＲ２）からなる（図５参照）。
【００２７】
次に、スケール表示を利用した印点位置（印点距離）の測定の動作を説明する。図４は、スケール表示画面を説明する図である。
【００２８】
図４に示されるスケール表示画面５０は、図３（ａ）のアライメント表示部４１のレチクル４２）を長押し（例えば、１秒）することによって、画面切換え用の信号が入力され、ディスプレイ３０に表示される。従って、ディスプレイ３０の画面が、度数測定画面４０（度数測定モード）とスケール表示画面５０（スケール表示モード）とに切換える指令信号を入力するスイッチとなる。
【００２９】
スケール表示画面５０上の下方には、左右のレンズＬＥのレンズ面にそれぞれ付された印点の左右方向の距離を検者が目視で読み取るためのスケール５１を含むスケール表示部５１Ａが表示される。スケール５１は、ディスプレイ３０の画面に対して、所定の測定単位距離（例えば、実寸の１．０ｍｍ）毎に左右方向に並べられた縦線（ディスプレイ３０の上下方向に延びる線）５２を持つ。図４の例では、左右中央に位置する「０」基準線（縦基準線）５３ｉに対して左方向の距離２５−５０ｍｍの範囲５４Ｌに１．０ｍｍ毎の縦線５２が表示され、「０」基準線５３ｉに対して右方向の距離２５−５０ｍｍの範囲５４Ｒに１．０ｍｍ毎の縦線５２が表示されている。範囲５４Ｌと範囲５４Ｒとの間にも１．０ｍｍ毎の縦線５２が表示されていても良い。
【００３０】
また、縦線５２の縦方向の中央には、水平線５４ｈが表示されている。水平線５４ｈは、左右のレンズＬＥのレンズ面に付された印点ＰＬｃ，ＰＲｃ（図５参照）の上下位置を位置合わせするために使用される。図４の例では、水平線５４ｈは範囲５４Ｌ及び範囲５４Ｒとで分離しているように表示されているが、一本の線の表示であっても良い。
【００３１】
縦線５２の上側欄５７ａで、範囲５４Ｌには、「０」基準線５３ｉからの実寸距離としての距離数値「２０」、「３０」、「４０」、「５０」が表示されている。同様に、縦線５２の上側欄５７ａで、範囲５４Ｒには、「０」基準線５３ｉからの実寸距離としての距離数値「２０」、「３０」、「４０」、「５０」が表示されている。
【００３２】
縦線５２の下側欄５７ｂには、左右両眼のＰＤを読み取るための参照用の距離数値「０」，「１０」，「５０」，・・・「８０」が表示されている。下側欄５７ｂの「１０」−「８０」の距離数値は、下側欄５７ｂの「０」からの実寸の距離（単位ｍｍ）である。  範囲５４Ｌと範囲５４Ｒとの間には、検者が「０」基準線５３ｉに左右リムの中心を合わせ易く誘導するためのガイドマーク５３が表示されている。ガイドマーク５３は、基準線５３ｉを中心に左右対称な図形で構成されている。図４の例では、ガイドマーク５３は、下側の第１ガイドマーク５３ａと、水平線５４ｈより上側にある第２ガイドマーク５３ｂと、を有する。第１ガイドマーク５３ａは、「０」基準線５３ｉを中心に左右対称のマークであり、図４の例では、三角マークと、「０」基準線５３ｉ側に傾斜した線で描かれた図形が表示されている。第２ガイドマーク５３ｂは、「０」基準線５３ｉを中心に左右対称に並べられた図形であって、スケール５１の縦線５２と同様に左右方向に１．０ｍｍ毎に並べられた縦線の図形であって、高さが順次異なる縦線の図形を持つ。
【００３３】
スケール表示画面５０上の上方に設けられたスイッチ表示部６０には、スケール表示画面５０を度数測定画面４０に切換えるためのスイッチ６１、スケール５１等の表示位置の高さ位置（上下位置）を変更するための信号を入力するスイッチ６３ａ，６３ｂ、ディスプレイ３０の表示色の白黒を反転させる反転スイッチ６４が設けられている。スイッチ６１が押されると、ディスプレイ３０の表示画面を度数測定画面４０に切換えるための指令信号が制御ユニット７０へと送られる。スイッチ６３ａがタッチされると、スケール表示画面５０上のスケール５１を含む水平線５４ｈ、距離数値、ガイドマーク５３等のスケール表示部５１Ａを一体的にスケール表示画面５０上の上方向に移動させる指令信号が制御ユニット７０に入力され、スイッチ６３ｂがタッチされると、スケール表示部５１Ａを一体的にスケール表示画面５０上の下方向に移動させる指令信号が制御ユニット７０に入力される。制御ユニット７０は、入力された指令信号（上方向又は下方向への移動指令信号）に基づいてディスプレイ３０の表示を制御し、スケール表示画面５０上のスケール表示部５１Ａの上下位置を変更する。このとき、制御ユニット７０は、スイッチ６３ａ又は６３ｂの１回のスイッチ信号で、１ステップ毎にスケール表示部５１Ａの表示位置を変更する。１ステップはディスプレイ３０の一画素と対応している。例えば、上下方向の１画素は０．２ｍｍであり、１ステップ毎に０．２ｍｍの変化でスケール５１を含むスケール表示部５１Ａを上下移動できる。
【００３４】
また、スケール表示部５１Ａの上下移動は、スイッチ表示部６０より下の領域を検者がタッチすることによっても行える。ディスプレイ３０上のタッチ位置の位置信号は制御ユニット７０に入力され、制御ユニット７０はタッチ位置に水平線５４ｈが位置するように、スケール表示部５１Ａの表示位置を変更する。このタッチ信号によるスケール表示部５１Ａの上下移動のＯＮ／ＯＦＦは、スイッチ６２によって切換えられる。
【００３５】
スケール５１と共に水平線５４ｈが上下移動されると、高さ表示欄６５の距離表示がリアルタイムで変えられる。高さ表示欄６５には、ディスプレイ３０の画面の底辺（下端位置）である高さ基準部５６から水平線５４ｈまでの実寸の距離が表示される。制御ユニット７０は、ディスプレイ３０が持つ画素の上下方向（縦方向）の実寸距離を基に高さ基準部５６から水平線５４ｈまでの距離を求め、求めた距離を表示欄６５に表示する。高さ基準部５６は、当接部３３の当接面と同じ位置とされている。左右のレンズ（左右のリム）の下端を当接部３３の当接面に当接させることにより、レンズの下端が高さ基準部５６に位置され、このとき、レンズ面に付された印点ＰＬｃ又は印点ＰＲｃが水平線５４ｈ上に位置するように水平線５４ｈをスイッチ６３ａ，６３ｂによって移動することにより、高さ基準部５６に対する水平線５４ｈの高さＨの値（距離）が制御ユニット７０によって求められ、求められた結果が表示欄６５に表示される。なお、高さ基準部５６は左右方向に延びる横線としてディスプレイ３０に表示されていても良い。この場合、スイッチ６３ａ，６３ｂの移動信号が入力されても、高さ基準部５６の表示位置は変えられないように、ディスプレイ３０の表示が制御される。
【００３６】
また、反転スイッチ６４がタッチされると、ディスプレイ３０の表示色の白黒（輝度）を反転させる指令信号が制御ユニット７０へと送られる。図４のスケール表示画面５０の例では、白色背景にスケール５１の縦線５２、距離数値、水平線５４ｈ、ガイドマーク５３等のスケール表示部５１Ａの色が黒色によって表示されている。スイッチ６４がタッチされると、背景色が黒色の表示に切換えられ、スケール表示部５１Ａの各表示色が黒色から白色の表示に切換えられる。これにより、検者にとって好ましい条件で、印点の位置の読み取り作業ができる。例えば、色が入ったレンズの印点を読み取る場合、黒色の背景色上に縦線５２等が白線である方が検者に取って読み取り易くなる。
【００３７】
図５は、図４のスケール表示画面５０が使用されることによって、レンズ面に付された印点ＰＬｃ，ＰＲｃの左右方向の位置及び高さ方向の位置（高さＢＴ）を測定する例を説明する図である。
【００３８】
眼鏡フレームＦの左右リムに枠入れされた左レンズ及び右レンズのレンズ面のそれぞれの光学中心には、印点ＰＬｃ及び印点ＰＲｃが付されている。検者は、ディスプレイ３０に表示されたスケール表示画面５０上に左右レンズの前側のレンズ面を置く。このとき、ディスプレイ３０を垂直状態から後方へ傾斜させておくと、左右レンズのレンズ面をディスプレイ３０の画面上に置き易くなる。検者は、当接部３３の当接面にフレームＦの左右リムの下端を置く。これにより、フレームＦは水平に支持され、フレームＦの左右方向がスケール５１の縦線５２が並ぶ左右方向に一致される。左右リムの左右中央を基準にした片眼ＰＤ（フレームＦの左右中心と片方のレンズの光学中心との距離）を測定する場合、検者は左右リムの左右中央を「０」基準線５３ｉに位置させる。このとき、ガイドマーク５３の表示を参照することにより、左右リムの左右中央を「０」基準線５３ｉに合わせ易くなる。すなわち、左右リムの間に位置する第１ガイドマーク５３ａの図形の左右対称性を見比べ、また、左右リムの間に位置する「０」基準線５３ｉを中心にした第２ガイドマーク５３ｂの縦線の左右対称性を見比べることにより、それぞれが左右対称となるようにフレームＦを左右方向に移動することにより、左右リムの左右中央を「０」基準線５３ｉに精度良く位置合わせすることができる。
【００３９】
検者は、左右リムの左右中央を「０」基準線５３ｉに位置合わせできたら、範囲５４Ｌの縦線５２及び上側欄５７ａの距離数値を参照し、左レンズ面上の印点ＰＬｃの距離を読み取ることにより、左レンズの片眼ＰＤを測定することができる。同様に、範囲５４Ｒの縦線５２及び上側欄５７ａの距離数値を参照し、右レンズ面上の印点ＰＲｃの距離を読み取ることにより、右レンズの片眼ＰＤを測定することができる。
【００４０】
また、両眼ＰＤ（左右レンズの光学中心間距離）を測定する場合、上述のように左右それぞれの片眼ＰＤの値を合計することでも可能であるが、その計算は間違え易く、手間でもある。両眼ＰＤの測定の場合には、下側欄５７ｂの表示を使用すると都合が良い。すなわち、検者は、下側欄５７ｂの距離数値「０」の縦線５２に左レンズ上の印点ＰＬｃを位置合わせし、右レンズ上の印点ＰＲｃの位置を範囲５４Ｒの縦線と下側欄５７ｂの距離数値を参照することにより、両眼ＰＤを一度に読み取ることができる。
【００４１】
なお、片眼ＰＤ及び両眼ＰＤの測定において、上側欄５７ａの距離数値及び下側欄５７ｂの距離数値の表示が、フレームＦのリムに隠れて見にくい場合には、検者は、スイッチ６３ａ，６３ｂのタッチ操作により、スケール表示部５１Ａの表示位置を上下移動し、見易い位置に変更することができる。
【００４２】
また、検者は、スイッチ６３ａ，６３ｂを操作して、水平線５４ｈを上下移動することにより高さＢＴを測定できる。すなわち、検者は、左右のレンズ（左右のリム）の下端を左右のレンズ（左右のリム）の下端を当接部３３の当接面に当接させることにより、レンズの下端が高さ基準部５６に位置させる。そして、検者は、例えば、右レンズ面の印点ＰＲｃの高さ位置に水平線５４ｈが位置するように、スイッチ６３ａ，６３ｂを操作して、水平線５４ｈの表示位置を上下移動させる。このときの高さ基準部５６に対する水平線５４ｈの高さ位置は表示欄６５に表示される。これにより、右レンズの高さＢＴを測定することができる。左レンズの印点ＰＬｃの高さＢＴが異なる場合には、右レンズと同様な方法により、左レンズのＰＤ高さを測定できる。
【００４３】
なお、レンズの光学中心の真下のレンズ下端から印点（ＰＬｃ、ＰＲｃ）までの距離である高さＰＤを測定する場合には、検者は、レンズ面に付された印点（ＰＬｃ、ＰＲｃ）の真下のレンズ下端が高さ基準部５６に位置するように、フレームＦの上下位置を調整した上で、上記と同様に水平線５４ｈの表示位置を上下移動させる。このときに表示される表示欄６５の値により、左レンズ及び右レンズのそれぞれの高さＰＤを測定することができる。
【００４４】
図４の例では高さ基準部５６として、ディスプレイ３０の下端（底辺）を利用したが、高さ基準部５６を示す横線をディスプレイ３０の画面上に表示させても良い。さらにまた、高さ基準部５６を示す横線を上下移動させる信号を入力するスイッチを、スイッチ６３ａ，６３ｂとは別に設けても良い。この場合には、高さ基準部５６を示す横線を上下移動させることにより、高さ基準部５６を示す横線と水平線５４ｈとの高さ距離が制御ユニット７０により算出され、その高さ距離が表示欄６５に表示される。これにより、高さＢＴ及び高さＰＤを測定することができる。
【００４５】
以上のようなディスプレイ３０のスケール表示画面５０の表示制御により、検者はわざわざ物差しを準備する必要がなく、また、装置構成を複雑にすることなく、コストの上昇を抑えた簡単な構成で、レンズ面に付された印点の位置（フレームの左右中心に対する右レンズ及び左レンズの印点の距離、右レンズ及び左レンズの印点間距離）を測定できる。
【００４６】
なお、上記の例では、スケール５１は度数測定画面４０とは別に切換えられる画面５０に表示されるものとしたが、度数測定画面４０上に表示されていても良い。例えば、ディスプレイ３０の画面サイズが大きい場合には、スケール５１がアライメント表示部４１の下に表示されるようにしても良い。
【００４７】
次に、ディスプレイ３０が持つ画素が粗く、縦線５２の画素毎の表示では、縦線５２の表示位置が測定単位距離に一致しない場合に、縦線５２の表示位置の誤差を少なくするための制御を説明する。
【００４８】
縦線５２の横幅は、ディスプレイ３０の１画素で表示される構成となっている。一つの画素は、Ｒ（赤色），Ｇ（緑色），Ｂ（青色）のサブピクセル（例えば、Ｒフィルタ，Ｇフィルタ，Ｂフィルタが横方向に並べられた構成）を備える。制御ユニット７０は、画素毎の縦線５２の表示制御では縦線５２の表示位置が測定単位距離に一致しない場合には、縦線５２の表示位置が測定単位距離に近似するように、以下のように、隣り合う画素のＲＧＢサブピクセルの一部を使う処理を行う。
【００４９】
図６（ａ）−（ｄ）は、ディスプレイ３０が持つ画素に対する縦線５２の表示を説明する図であり、画面上の左右方向の１ライン上における縦線５２の表示を示している。以下では、縦線５２を表示するための測定単位距離が１．０ｍｍであり、ディスプレイ３０が持つ画素のサイズが０．１８ｍｍである場合を例にとって説明する。
【００５０】
図６（ａ）、（ｂ）は、縦線５２を構成する縦線Ｍ１，Ｍ２を画素毎に表示させる場合である。図６（ａ）では、縦線Ｍ１の画素Ｓ１から４個の画素Ｓ２、Ｓ３、Ｓ４、Ｓ５を隔て、画素Ｓ６に縦線Ｍ２を表示させた場合である。この場合、縦線Ｍ１と縦線Ｍ２の左右の中心間距離Ｄ１は、０．９０ｍｍであり、測定単位距離１．０ｍｍとはならず、１．０ｍｍに対して１０％の誤差を持つ。図６（ｂ）では、縦線Ｍ１の画素Ｓ１から５個の画素Ｓ２−Ｓ６を隔て、画素Ｓ７に縦線Ｍ２を表示させた場合である。この場合、縦線Ｍ１と縦線Ｍ２の左右中心間距離Ｄ２は、１．０８ｍｍであり、１．０ｍｍに対して８％の誤差を持つ。
【００５１】
次に、図６（ｃ）及び（ｄ）は、１画素を構成するためのＲＧＢのサブピクセルを隣り合う画素で組み合わせを変えて、画素の横サイズと同じ縦線Ｍ２を表示させた場合である。１画素を構成するＲサブピクセル、Ｇサブピクセル、Ｂサブピクセルは、横方向（幅方向）に左側から順に並べて配置されている。従って、各サブピクセルは、１画素を３等分した幅（ここでは、０．０６ｍｍ）を持つことになる。
【００５２】
図６（ｃ）では、画素Ｓ６を構成するＲＧＢのサブピクセルの内の右側にある１個のＢサブピクセルと、画素Ｓ７を構成するＲＧＢサブピクセルの内の左側にある２個のＲ及びＧのサブピクセルと、によって画素の横サイズと同じ縦線Ｍ２を表示させた場合である。この場合、縦線Ｍ１と縦線Ｍ２の左右中心間距離Ｄ３は、１．０２ｍｍであり、１．０ｍｍに対して２％の誤差に収まる。一方、図６（ｄ）では、画素Ｓ６を構成するＲＧＢのサブピクセルの内の右側にある２個のＧ及びＢのサブピクセルと、画素Ｓ７を構成するＲＧＢのサブピクセルの内の左側にある２個のＲ及びＧのサブピクセルと、によって画素の横サイズと同じ縦線Ｍ２を表示させた場合である。この場合、縦線Ｍ１と縦線Ｍ２の左右中心間距離Ｄ４は、０．９６ｍｍであり、１．０ｍｍに対して４％の誤差となる。
【００５３】
図６（ｃ）と図６（ｄ）とを比べると、図６（ｃ）の方が誤差が少ない。このため、制御ユニット７０は、誤差がより少なくなるように、図６（ｃ）のパターンで縦線Ｍ１に対する縦線Ｍ２の表示を決定する。
【００５４】
白色背景に縦線５２を構成する縦線Ｍ１、Ｍ２を黒色表示する場合には、縦線Ｍ１及びＭ２のＲＧＢサブピクセルを発光させず（輝度を低くし）、その間にあるＲＧＢサブピクセルを発光させる（輝度を高くする）。ここで、画素Ｓ６及びＳ７のＲＧＢサブピクセルの一部が発光することになり、画素単位では白色にならないが、人眼にとっては周りの白色発光に埋もれてしまい、白色背景に黒色の縦線があるように見える。
【００５５】
制御ユニット７０は、図４に示された多数の縦線５２の表示位置について、縦線５２の表示位置が測定単位距離に近似するように、隣り合う画素のＲＧＢサブピクセルの一部を使う処理を行うことにより、その表示位置の誤差を少なくできる。
【００５６】
なお、以上の説明では、ディスプレイとして液晶カラーディスプレイを用いたが、これに限るものではない。色の異なる単色のサブピクセルを複数並べて１つの画素とする構成のカラーディスプレイであればよい。例えば、有機ＥＬディスプレイ等を用いてもよい。この場合、サブピクセルは、カラーフィルタを持たず、サブピクセル自体がある単色で発光する構成となる。
【００５７】
なお、以上の説明では、スケール表画面５０を白黒反転表示可能としてが、この構成に限るものではない。レンズに付された印点が、検者にとって読み取り易いスケール表示であればよい。白黒反転以外に、表示画面のカラーバランスを変更する構成としてもよい。予め設定された配色の異なるスケール表示画面を検者が呼び出す構成としてもよい。また、画面内に、検者がスケール表示画面の配色を変更する操作スイッチを設ける構成としてもよい。
【００５８】
なお、本発明は、当業者の創意、工夫により様々な変容が可能である。本発明の技術思想はそれらの構成も含むものとする。
【図面の簡単な説明】
【００５９】
【図１】レンズメータの外観略図である。
【図２】レンズメータの後方斜視図である。
【図３】測定画面を説明する図である。
【図４】スケール表示画面を説明する図である。
【図５】レンズ面に付された印点の位置を測定する場合の例を説明する図である。
【図６】ディスプレイが持つ画素に対する縦線の表示を説明する図である。
【符号の説明】
【００６０】
１０  ノーズピース
２２  印点機構
３０  ディスプレイ
３３  当接部
４０  度数測定画面
５０  スケール表示画面
５１  スケール
５１Ａ  スケール表示部
５２  縦線
５３  ガイドマーク
５３ｉ  基準線
５４Ｈ  水平線
５７ａ  上側欄
５７ｂ  下側欄
１００  レンズメータ
ＰＬｃ、ＰＲｃ  印点
【図１】
0005919817.tif 000002
【図２】
0005919817.tif 000003
【図３】
0005919817.tif 000004
【図４】
0005919817.tif 000005
【図５】
0005919817.tif 000006
【図６】
0005919817.tif 000007